(57)【要約】【課題】フィルム材料による包装袋によって包み込まれる複数の収納物品を、手で持ったり腕や肩にかけたりしながら、安定した状態で容易に持ち歩くことのできる包装体を提供する。【解決手段】フィルム材料による包装袋１１に複数の収納物品を包み込んで形成される包装体１０であって、包装袋１０は、複数の収納物品の周囲を覆う正面部１２と、背面部１３と、一対の側面部１４と、上面部１５と、底面部１６とを有し、筒状に形成されたフィルム材料の上端縁部を接合することによって、上面部１５の中央部分を横断する上面接合部１７が形成され、一対の側面部１４の上部延設部１４ａと、上面部１５の両端の端部延設部１５ａとの重なる部分によって三角形状の延設耳部３０が外側に張出して一対形成されており、上面接合部１７に沿って、一対の三角形状の延設耳部３０における上面接合部１７の間をつなぐベルト部１８が形成可能に設けられている。【選択図】図１
2007217022.tif 000002
【特許請求の範囲】
【請求項１】
フィルム材料による包装袋に複数の収納物品を包み込んで形成される包装体であって、
前記包装袋は、前記複数の収納物品の周囲を覆う正面部と、背面部と、一対の側面部と、上面部と、底面部とを有し、
筒状に形成されたフィルム材料の上端縁部を接合することによって、前記上面部の中央部分を横断する上面接合部が形成され、
前記一対の側面部の上部延設部と、前記上面部の両端の端部延設部との重なる部分によって三角形状の延設耳部が外側に張出して一対形成されており、
前記上面接合部に沿って、前記一対の三角形状の延設耳部における上面接合部の間をつなぐベルト部が形成可能に設けられている包装体。
【請求項２】
前記上面接合部を前記包装袋の上面部に沿って折り重ね、前記端部接合部及び前記延設耳部を前記側面部の上部に沿って折り重ねた状態で仮接合されている請求項１記載の包装体。
【請求項３】
前記複数の収納物品は、圧縮された状態で略直方体形状に集積されて前記包装袋に収納されている請求項１又は２に記載の包装体。
【発明の詳細な説明】
【技術分野】
【０００１】
本発明は、包装体に関し、特にフィルム材料による包装袋に集積した複数の収納物品を包み込んで形成される包装体に関する。
【背景技術】
【０００２】
例えば紙おむつ、生理用品等の吸収性物品や、ロール状のトイレットペーパーを、複数積み重ねて略直方体形状に集積し、これらを例えば合成樹脂製のフィルム材料からなる包装袋に、好ましくは圧縮した状態で収納するようにした包装体が種々知られている（例えば、特許文献１、特許文献２、特許文献３参照）。
【０００３】
これらの包装体では、フィルム材料からなる包装袋は、正面部と、背面部と、左右一対の側面部と、上面部と、底面部とからなり、略直方体形状に集積された収納物品の周囲を密着状態で覆って配設される。また包装袋の上面部は、一般に、正面部、背面部、及び一対の側面部からの上部延設部分を上面側に折り曲げて形成される。この上面部には、中央部分を横断して、正面部の上部延設部分の上端縁部と、背面部の上部延設部分の上端縁部とを向い合せて接合した上面接合部が配置される。さらに、側面部の上部延設部分は、これの上端縁部を谷折りして上面接合部の内側に挟み込んだ状態で接合される共に、接合された上端縁部よりも下方の部分は、まち部として正面部及び背面部の上部延設部分の下側に折り込まれる。
【０００４】
また、上面部の中央部分に配置される正面部及び背面部の上方延設部分の上端縁部による上面接合部は、相当の幅を有する帯状の接合部分として形成されており、この上面接合部の中央には、包装体を一体として手で持ち上げることができるように、吊手開口部が形成される。
【特許文献１】特開平１１−９１７９７号公報
【特許文献２】特開２００１−３０１８５９号公報
【特許文献３】特開２００４−４２９２２号公報
【発明の開示】
【発明が解決しようとする課題】
【０００５】
しかしながら、上記従来のフィルム材料による包装袋によって集積した複数の収納物品を包み込んで形成される包装体では、上面部の帯状の上面接合部に形成される吊手開口部は、当該上面接合部の幅に納まる小さなものしか形成することができず、また形成された吊手開口部の開口周縁は、フィルム材料からなる薄い厚さの正面部及び背面部の上部延設部分による線状の細い幅で縁取りされることから、手の指を吊手開口部に挿入して安定した状態で指の腹を開口周縁に係止することが難しい。また、包装体を吊り上げるように持ち上げた際に、細い幅の線状に縁取りされた開口周縁を介して、不安定な状態で包装体の荷重が指の腹の一部に局所的に負荷されることから、このような状態で包装体を長時間持ち歩くことに煩わしさを感じやすい。
【０００６】
特に、包装袋の内部に圧縮された状態で集積されて、多数の収納物品が一体として収納されていることにより、包装体が相当の重量を有している場合には、上面接合部に設けられた吊手開口部に指を係止して安定した状態で包装体を持ち歩くのは、困難を伴うことになる。
【０００７】
本発明は、フィルム材料による包装袋によって包み込まれる複数の収納物品を、手で持ったり腕や肩にかけたりしながら、安定した状態で容易に持ち歩くことのできる包装体を提供することを目的とする。
【課題を解決するための手段】
【０００８】
本発明は、フィルム材料による包装袋に複数の収納物品を包み込んで形成される包装体であって、  前記包装袋は、前記複数の収納物品の周囲を覆う正面部と、背面部と、一対の側面部と、上面部と、底面部とを有し、筒状に形成されたフィルム材料の上端縁部を接合することによって、前記上面部の中央部分を横断する上面接合部が形成され、前記一対の側面部の上部延設部と、前記上面部の両端の端部延設部との重なる部分によって三角形状の延設耳部が外側に張出して一対形成されており、前記上面接合部に沿って、前記一対の三角形状の延設耳部における上面接合部の間をつなぐベルト部が形成可能に設けられている包装体を提供することにより、上記目的を達成したものである。
【発明の効果】
【０００９】
本発明の包装体によれば、フィルム材料による包装袋によって包み込まれる複数の収納物品を、手で持ったり腕や肩にかけたりしながら、安定した状態で容易に持ち歩くことができる。
【発明を実施するための最良の形態】
【００１０】
図１〜図３に示す本発明の好ましい第１実施形態に係る包装体１０は、収納物品として、例えば扁平な形状に折り畳まれた複数の使い捨てオムツを、例えば横方向に積層して物品群とすると共に、この物品群を縦方向に複数段に積み重ねて全体が略直方体形状となるように集積した状態で、合成樹脂製のフィルム材料からなる包装袋１１に収納してなるものである。また、本第１実施形態の包装体１０は、集積した使い捨てオムツを、好ましくは横方向に圧縮しつつ、略直方体形状の全体を覆うようにして包装袋１１の内部に収納することにより製品化されるものであり、例えば５００ｇ〜５ｋｇ程度の相当の重量を有している。本第１実施形態の包装体１０は、このように効率良く集積された多数の使い捨ておむつが相当の重量を有している場合でも、これらを一体として容易かつ安定した状態で持ち運ぶことができるようにするために採用されたものである。
【００１１】
そして、本第１実施形態の包装体１０は、フィルム材料による包装袋１１に好ましくは略直方体形状に集積した複数の使い捨てオムツを収納物品として包み込んで形成される包装体であって、包装袋１１は、集積した複数の使い捨てオムツの周囲を覆う正面部１２と、背面部１３と、一対の側面部１４と、上面部１５と、底面部１６とを含む。包装袋１１は、１枚のフィルム材料又は複数枚のフィルム材料の接合により筒状に形成されたフィルム材料から形成され、筒状のシート材料の上端縁部を接合することによって、上面接合部１７を形成する。筒状のシート材料の上縁端部を接合した前面部分の中央領域が包装袋１１の正面部１２に、後面部分の中央領域が包装袋１１の背面部１３となり、上面接合部１７は包装袋１１の上面部１５の中央部分を横断して配置されるものとなる。上面接合部１７が形成された平坦な包装袋から正面部１２と背面部１３と、両側の側面部１４と上面部１５とを備える略直方体形状の包装袋１１を形成し、上面接合部１７の両端部分の領域に該当する一対の端部接合部１７ａにおいて、一対の側面部１４の上方に延在する各上部延設部分１４ａと上面部１５の両端に延在する端部延設部分１５ａとが重なる三角形状の延設耳部３０が、上面部１５から外側に張出して一対形成される。さらに上面接合部１７に沿って、上端接合部１７の端部に該当する端部接合部１７ａの間をつなぐベルト部１８が設けられている。
【００１２】
なお、本第１実施形態の包装体１０では、下面部１６は、従来の包装体と同様に、例えば正面部１２、背面部１３、及び一対の側面部１４からの下部延設部分を下面側に折り曲げて形成され、この下面部１６には、中央部分を横断して、正面部１２の下部延設部分の下端縁部と、背面部１３の下部延設部分の下端縁部とを向い合せて接合した下面接合部が配置されている。また、側面部１４の下部延設部分は、これの下端縁部を谷折りして下面接合部の内側に挟み込んだ状態で接合される共に、接合された下端縁部よりも上方の部分は、まち部として正面部１２及び背面部１３の下部延設部分の上側に折り込まれている。
【００１３】
本第１実施形態では、包装袋１１を構成するフィルム材料は、例えば合成樹脂製のフィルムとして、好ましくは軟質のポリエチレンフィルムが用いられる。フィルム材料は、所定の箇所をシール接合することにより、例えば正面の幅が２０〜５０ｃｍ、側面の幅が１０〜２０ｃｍ、高さが１０〜５０ｃｍ程度の大きさの略直方体形状に集積された、複数の使い捨てオムツの周囲を一体として包み込むように覆って設けられ、当該略直方体形状の各面に沿った正面部１２と、背面部１３と、一対の側面部１４と、上面部１５と、底面部１６とを形成する。
【００１４】
また、本第１実施形態では、１枚の合成樹脂製フィルムの端部を接合したり、２枚の合成樹脂製フィルムの両端部を互いに接合することによって筒状フィルムを形成する。筒状フィルムの上端縁部を接合する場合に、例えば１０〜１００ｍｍ程度の幅で接合することによって帯状の上面接合部分１７が形成される。そして、上面接合部分１７は、上面部１５における正面部１２と連続する正面部側上面部１２ａよりさらに中央に延びた上端縁部１２ｂと、上面部１５における背面部１３と連続する背面部側上面部１３ａよりさらに中央に延びた上端縁部１３ｂとを、上面部よりも上方に略垂直に折り曲げて重ね合わせた状態で互いに接合された部分を含む。そして、上面接合部分１７は、上面部１５の中央部分を横断して上面部１５の端部に延在する端部延設部分１５ａの中央部分と連続して立設した状態で帯状に設けられるものとなる。
【００１５】
さらに、本第１実施形態では、集積された使い捨てオムツ等を包み込む略直方体形状の包装袋１１を形成すべく、正面部１２と背面部１３と、両側面部１４と上面部１５とが設けられるのに伴って、一対の側面部１４から上方に延びた各上部延設部分１４ａと、上面部１５の両端から延在する端部延設部分１５ａとが重なる部分を包装袋１１の内側、即ち、上面部１５の下側にまち部として折り込まれることなく、上面部１５と側面部１４との稜線に該当する稜線部分１９から外側に耳状に張出すようにして三角形状に突出する延設耳部３０を形成する。そして、延設耳部３０における上面部から延在する端部延設部分１５ａの中央部には、上面部１５から延在する端部延在部分１５ａから立設する部分で、上面接合部１７の両端部にあたる端部接合部１７ａが位置する。尚、一対の側面部１４の各上部延設部分１４ａと上面部１５の両端の端部延設部分１５ａとは、延設耳部３０の三角形状の２辺を介して連続している。
【００１６】
さらにまた、上面接合部１７には、端部接合部１７ａにおいて連続するベルト部１８が、上面接合部１７に沿って設けられている。本第１実施形態では、ベルト部１８は、上面接合部１７の正面部１２側の面、又は背面部１３側の面に沿って、端部接合部１７ａにおいて取り付けられている。ベルト部１８は、好ましくは包装袋１１と同様の軟質のポリエチレンフィルムからなる帯状のフィルム部材であって、例えば１０〜１００ｍｍ程度の幅を有しており、両側の端部接合部１７ａの縁部分に略跨る長さで設けられている。ベルト部１８は、その両端が、略三角形状のベルトシール部２０を介して端部接合部１７ａの各縁部分に各々接合されることにより、両側の端部接合部１７ａの間に連架されると共に、ベルトシール部２０ａによって挟まれる部分は、上面接合部１７及び端部接合部１７ａに接合されることなく、これらから容易に剥離できるようになっている。
【００１７】
なお、本第１実施形態では、略三角形状のベルトシール部２０は、ベルト部１８の端部において、略三角形状の底辺部分２０ａを内側斜め下方に向けた斜めシールとして設けられている。ベルトシール部２０ａが斜めシールとして設けられていることにより、応力の集中を回避でき、安定したベルト強度が得られる
【００１８】
また、本第１実施形態では、例えば上面接合部１７の正面側端部、又は背面側端部、又は両方側の端部に該当する上面部１５に当該上面接合部１７を横断する一対のミシン目等により容易に切断可能な開封第１易切断線３１ａが形成され、上面接合部１７の上端から上面部１５に向かい開封第１易切断線３１ａまで延設される開封第２易切断線３１ｂとが形成された、包装袋１１を開封して取出し用の開口を形成するための開封易切断線３１が設けられている。
【００１９】
上述の構成を備える本第１実施形態の包装体１０では、図１に示す状態から、帯状の上面接合部１７を、集積された使い捨てオムツによる略直方体形状の上面に沿って上面部１５に折り重ねると共に、上面部１５よりも外側に三角形状に突出する延設耳部３０を、端部接合部１７ａと共に側面部１４の上部外周面に折り重ねた状態で、例えば接着剤や簡易なシール接合を介して仮接合することにより、図２に示すように、梱包や運搬、陳列等に適した略直方体形状にまとめられた状態で製品化される。なお、図２では、ベルト部１８が接合された側の面を外側にして、上面接合部１７及び端部接合部１７ａが上面部１５及び側面部１４に折り重ねられている。梱包や運搬、陳列等への適正を考慮すると、ベルト部１８が接合された側を内側にして、上面接合部１７及び端部接合部１７ａを上面部１５及び側面部１４に折り重ねて仮接合することが好ましい。また、開封易切断線３１の開封開始位置となる開封第１易切断線３１ａに、ミシン目の形成されていないベルト部１８が重なった状態で包装体１０が製品化されるので、梱包、運搬、陳列時に、開封易切断線３１が不用意に切れるのを効果的に回避することが可能になる。
【００２０】
そして、本第１実施形態の包装体１０を購入した消費者は、梱包、運搬、陳列時に妨げとなる把手部（ベルト部１８）が突出しない状態で構成された包装体１０を、例えば自宅に帰るまで持ち歩くことになるが、本第１実施形態によれば、包装袋１１によって略直方体形状に集積した状態で包み込まれる複数の収納物品が包み込まれた包装体１０を、手で持ったり腕や肩にかけたりしながら、安定した状態で容易に持ち歩くことが可能になる。すなわち、本第１実施形態の包装体１０では、上面部１５の中央部分を横断して、上面接合部１７が形成されており、この上面接合部１７の両端部分れある端部接合部１７ａは、上面部１５の両側に延在する端部延設部分１５ａと側面部１４の上方における上部延設部分１４ａの重なりによって形成された延設耳部３０に位置し、かつ、上面接合部１７に沿って端部接合部１７ａの間に連架されるベルト部１８が設けられているので、例えば図２に示す製品化された状態から、購入した消費者等が延設耳部３０の仮接合を解除し、ベルト部１８におけるベルトシール部２０の間の領域を、上面接合部分１７から剥離して上方に引き上げれば、図３に示すように、ベルト部１８と両側の延設耳部３０によって、大きな環状の把手部２１が形成されることになり、この把手部２１を手で持ったり腕や肩にかけたりしながら、安定した状態で包装体１０を容易に持ち歩くことが可能になる。
【００２１】
また、本第１実施形態では、ベルト部１８は帯状に形成されて相当の幅を有しているので、このベルト部１８による把手部２１は、手や腕や肩に面状に接触した状態で包装体１０を吊り下げることになるので、大きな接触面積で手や腕や肩に接触させて包装体１０の重量を支持させつつ、さらに安定した状態で包装体１０を持ち歩くことが可能になる。
【００２２】
図４は、本発明の第２実施形態に係る包装体４０を示すものである。本第２実施形態の包装体４０では、上面接合部１７に幅方向中央部に、両端部を長手手方向に延びる、例えばミシン目等からなる易切断線４１が設けられている。そして、上面接合部１７における易切断線４１の上方部分が、易切断線４１に沿って切断された際に、端部接合部１７ａの間に連架されるベルト部４２を構成することになる。易切断線４１は、図４には示されていないが、易切断線４１の端部に丸穴を形成するか、易切断線４１の端部を丸く形成することによって、ベルト部４２を構成した後に、易切断線４１の端部がさけてベルト部４２がちぎれることを防止することができる。また、本第２実施形態では、例えば上面接合部１７の両端部分で、易切断線４１の下方における上面接合部１７と上面部１５との境、又は、上面接合部１７近傍の上面部１５において横断して形成された一対のミシン目等からなり容易に切れるようにした開封第１易切断線３２ａと、易切断線４１から下方に延在して開封第１易切断線３２ａに連続する開封第２易切断線３２ｂとからなる、包装袋１１を開封して収容物を取り出すための開口を形成する開封易切断線３２が設けられている。
【００２３】
本第２実施形態の包装体４０によっても、包装体４０を持ち歩く際に、易切断線４１に沿って上面接合部分１７及び端部接合部１７ａを上下に切り離し、上方部分のベルト部４２を引き上げることにより、大きな環状の把手部を容易に形成することができ、梱包、運搬、陳列時には把手部が引っ掛かる等することなく、略直方体形状の包装体として取り扱いを容易にしながら、消費者等が容易に持ち歩くことを可能にする上記第１実施形態の包装体１０と同様の作用効果が奏されることになる。また、易切断線４１より上方部分のベルト部４２による把手部を維持しながら、開封易切断線３２を切断して取出し用の大きな開口を容易に形成することができると共に、ミシン目等により容易に切ることができるように形成した開封易切断線３２の開封第１易切断線３２ａは、易切断線４１を切り離してベルト部４２による把手部を形成して初めてその縁部の切断開始部が露出するので、梱包、運搬、陳列時に、開封易切断線３２が不用意に切れるのを効果的に回避することが可能になる。
【００２４】
図５は、本発明の第３実施形態に係る包装体５０を示すものである。本第３実施形態の包装体５０では、上面接合部１７は、上面部１５と上面部１５の両端に延在する端部延設部分１５ａと近接する基端部５１のみが接合されて形成されており、基端部５１よりも上方部分は、一対の挟込み帯状片５２として接合されていない。そして、接合されていない一対の挟込み帯状片５２の間に、例えば幅方向にＶ字断面形状に二つ折りしたベルト部５３を挟み込むように挿入し、一対の挟込み帯状片５２の両端部であって延設耳部３０の領域（挟込み帯状片５２が端部延設部分１５ａと連続する領域）においてベルト部５３の両端部と各々接合することにより、包装体５０が形成されている。
【００２５】
本第３実施形態の包装体５０によっても、包装体５０を持ち歩く際に、一対の挟込み帯状片５２の間からベルト部５３を引き上げることにより、大きな環状の把手部を容易に形成することができ、梱包、運搬、陳列時には把手部が引っ掛かる等することなく、略直方体形状の包装体として取り扱いを容易にしながら、消費者等が容易に持ち歩くことを可能にする上記第１実施形態の包装体１０と同様の作用効果が奏されることになる。またベルト部５３は幅方向に二つ折りにして二重に形成されているので、より大きな重量でも安定して支持することが可能になる。また、第１実施形態と同様に形成された開封易切断線３１は、ベルト部５３と重なる部分に形成されているので、梱包、運搬、陳列時に開封易切断線３１が不用意に切れることを効果的に回避することができる。
【００２６】
図６は、本発明の第４実施形態に係る包装体６０を示すものである。本第４実施形態の包装体６０では、上面接合部１７は、上面部１５と上面部１５の両端に延在する端部延設部分１５ａと近接する基端部６１のみが接合されて形成されており、基端部６１よりも上方部分は一対の挟込み帯状片６２として接合されていない。そして、接合されていない一対の挟込み帯状片６２の間にはさみ込むようにして、例えば長手方向にＺ形状に三つ折りしたベルト部６３を挿入し、一対の挟込み帯状片６２の両端部であって延設耳部３０の領域（挟込み帯状片６２が端部延設部分１５ａと連続する領域）において
ベルト部６３の両端部と各々接合することにより、包装体６０が形成されている。
【００２７】
本第４実施形態の包装体６０によっても、包装体６０を持ち歩く際に、一対の挟込み帯状片６２の間からベルト部６３を引き上げることにより、大きな環状の把手部を容易に形成することができ、上記第１実施形態の包装体１０と同様の作用効果が奏されることになる。またベルト部６３は長手方向にＺ形状に三つ折りにして形成されているので、より大きな環状の把手部を形成することができ、例えば肩から斜めに吊り下げて、包装体６０をさらに容易に持ち歩くことが可能になる。
【００２８】
なお、本発明は上記各実施形態に限定されることなく種々の変更が可能である。例えば、包装体に収納される収納物品は、使い捨ておむつである必要は必ずしもなく、その他の吸収性物品や、ロール状のトイレットベーパー等であっても良く、好ましくは、おむつ等のクッション性のある収納物品では、軟質フィルムで梱包する場合に好ましい。また収納物品は、圧縮された状態で集積されて収納される必要は必ずしもなく、略直方体形状に集積される必要は必ずしもない。さらに、上面接合部に沿って設けられるベルト部は、帯状のフィルム材料によるものである必要は必ずしもなく、ひも状のベルト部等であっても良い。
【図面の簡単な説明】
【００２９】
【図１】本発明の好ましい第１実施形態に係る包装体の構成を説明する斜視図である。
【図２】本発明の好ましい第１実施形態に係る包装体の製品化された状態の斜視図である。
【図３】本発明の好ましい第１実施形態に係る包装体の持ち歩く状態の斜視図である。
【図４】本発明の好ましい第２実施形態に係る包装体の構成を説明する斜視図である。
【図５】本発明の好ましい第３実施形態に係る包装体の構成を説明する斜視図である。
【図６】本発明の好ましい第４実施形態に係る包装体の構成を説明する斜視図である。
【符号の説明】
【００３０】
１０，４０，５０，６０  包装体
１１  包装袋
１２  正面部
１２ｂ  正面部の上部延設部分の上端縁部
１３  背面部
１３ｂ  背面部の上部延設部分の上端縁部
１４  側面部
１４ａ  側面部の上部延設部分
１５  上面部
１５ａ  上面部の端部延設部分
１２ａ  上面部の正面部側上面部
１３ａ  上面部の背面部側上面部
１６  底面部
１７  上面接合部
１７ａ  端部接合部
１８，４２，５３，６３  ベルト部
１９  上面部と側面部との稜線部分
２０  ベルトシール部
２０ａ  三角形状のベルトシール部の底辺部分
２１  把手部
３０  延設耳部
３１，３２  開封切断断線
４１  易切断線
５１，６１  上部延設部分の基端部
５２，６２  挟込み帯状片
【図１】
2007217022.tif 000003
【図２】
2007217022.tif 000004
【図３】
2007217022.tif 000005
【図４】
2007217022.tif 000006
【図５】
2007217022.tif 000007
【図６】
2007217022.tif 000008